(57)【要約】【課題】半導体装置を経済的に効率良く、歩留まり良く製造するため、無線認識用の半導体装置のチップ面積全体の約３分の１を占めることもあるパワーオンリセット回路を排除して、当該半導体装置の小型化を達成する。【解決手段】一つ又は複数のフリップフロップ回路を有する無線認識用の半導体装置であって、半導体装置の電源電圧が上昇したときにフリップフロップ回路の特定の出力端子１３が論理的にＨ又はＬに固定することを特定する初期設定素子１６を当該フリップフロップ回路内部に備えていることを特徴とする半導体装置とする。【選択図】　　　　図１
2004070870.tif 000002
【特許請求の範囲】
【請求項１】
一つ又は複数のフリップフロップ回路を有する無線認識用の半導体装置であって、
前記フリップフロップ回路は、電源電圧が上昇したときに前記フリップフロップ回路の出力を論理的にＨ又はＬのいずれかに固定するための素子を備えていることを特徴とする半導体装置。
【請求項２】
容器の内容物を識別するために前記容器に取り付けられる無線認識用の半導体装置であって、
前記容器の中心線から前記半導体装置の中心までの距離が３ｍｍ以内となるように前記容器に取り付けられることを特徴とする半導体装置。
【請求項３】
請求項２記載の半導体装置であって、
前記半導体装置の内部にアンテナを有することを特徴とする半導体装置。
【請求項４】
請求項２記載の半導体装置であって、
前記半導体装置を前記容器に取り付けるとき又は前記半導体装置内に記憶された情報を読み取るときに前記半導体装置の検査を行うことを特徴とする半導体装置。
【請求項５】
搬送装置と、
前記搬送装置に設けられ、請求項１記載の半導体装置を取り付けた容器を固定するための複数の台座と、
前記半導体装置と近接して前記半導体装置内に記憶された情報を読み取るためのアンテナを備えた複数の読み取り部とを有することを特徴とする半導体装置の情報読み取り装置。
【発明の詳細な説明】
【０００１】
【発明の属する技術分野】
本発明は、無線認識（ＲＦＩＤ：Ｒａｄｉｏ　Ｆｒｅｑｕｎｃｙ　Ｉｄｅｎｔｉｆｉｃａｔｉｏｎ）用の半導体装置及びその半導体装置に記憶された情報の読み取り装置に関し、特にその装置のフリップフロップ回路部分やその半導体装置と近接する読み取り部分の構成等に適用して有効な技術に関する。
【０００２】
【従来の技術】
例えば、本発明者が検討した技術として、自動認識技術においては、以下の技術が考えられる。
【０００３】
ガラス又はプラスチックその他の材料で形成されるびんなどの容器は、各種の薬剤や試料を収納、保管するために、多様な分野で活用されている。この容器の内容物は製造時又は保管時において、各種異物の混入や化学反応などを生じることがあり、製造時又は保管時に定期的に内容物を検査する必要がある。そして、その検査結果は自動的にコンピュータに登録されるため、自動認識技術が必要とされていた。
【０００４】
この自動認識のために、従来は、バーコードなどが容器に付けられていた。また、バーコードなどに代わる手段として、外部から無線でＩＣチップ内に記憶された識別（ＩＤ）番号等の情報を読み取ることのできる無線認識（ＲＦＩＤ）用ＩＣチップも使用されるようになり、びんなどの容器に無線認識用ＩＣチップが付けられている。
【０００５】
なお、このような無線認識用ＩＣチップに関する技術としては、例えば、特開２００２−１８４８７２号公報に記載される技術などが挙げられ、無線認識用ＩＣチップの回路構成を示す当該公報の図１には、パワーオンリセットが存在していた。
【０００６】
【発明が解決しようとする課題】
ところで、前記のような無線認識用ＩＣチップに関する技術について、本発明者が検討した結果、以下のようなことが明らかとなった。
【０００７】
すなわち、従来のバーコードや無線認識用ＩＣチップは、形状が十分に小さいとはいえず、容器の形状が小さい場合は、これらの認識用ラベルを貼り付ける場所に乏しく、また、容器の周囲に貼っても内容物を観察する際の障害となっていた。
【０００８】
また、びんなどの容器は回転等の動作を行うことが多く、容器の周囲にバーコードや無線認識用ＩＣチップを貼った場合、識別情報を読み取るときに位置がずれ、読み取りの障害となる。そのため、容器に貼りつけたバーコードや無線認識用ＩＣチップ等の認識用ラベルと、バーコードや無線認識用ＩＣチップ等の識別情報を読み取る情報読み取り装置との位置決めのための工夫が必要であって、位置決めのための装置の追加などで経済性や認識速度を犠牲にせざるを得なかった。
【０００９】
一方、びんなどの容器は大量多岐にわたるため、無線認識用ＩＣチップを使い捨てにするため、経済的に形成する必要がある。そのためには、ＩＣチップを小型化し、歩留まりを向上させる必要がある。
【００１０】
しかし、従来の無線認識用ＩＣチップにおいては、例えば、特開２００２−１８４８７２号公報の図１に記載されているように、パワーオンリセット回路が存在していた。そして、このパワーオンリセット回路のレイアウト面積は、チップ面積の３分の１をも占めることがあり、ＩＣチップの小型化を阻害していた。
【００１１】
そこで、本発明の目的は、無線認識用の半導体装置（無線認識用ＩＣチップ等）において、パワーオンリセット回路を不要とすることにより、半導体装置の小型化を達成することにある。
【００１２】
また、本発明の他の目的は、無線認識用の半導体装置の情報読み取り装置において、位置決めを容易にし、簡便かつ高速に読み取り可能とすることにある。
【００１３】
本発明の前記ならびにその他の目的と新規な特徴は、本明細書の記述および添付図面から明らかになるであろう。
【００１４】
【課題を解決するための手段】
本願において開示される発明のうち、代表的なものの概要を簡単に説明すれば、次のとおりである。
【００１５】
すなわち、本発明による無線認識用の半導体装置（無線認識用ＩＣチップ等）は、半導体装置に内蔵されるフリップフロップ回路が、電源電圧が上昇したときにフリップフロップ回路の出力を論理的にＨ又はＬのいずれかに固定するための素子を備えていることを特徴とするものである。
【００１６】
よって、前記素子を付加することにより、電源電圧が上昇したときにフリップフロップの出力が所定の値に固定されるため、パワーオンリセット回路を削除することが可能となり、半導体装置の小型化が可能となる。
【００１７】
また、本発明による無線認識用の半導体装置は、容器の中心線から半導体装置の中心までの距離が３ｍｍ以内となるように容器に取り付けられることを特徴とするものである。
【００１８】
よって、容器の中心線上又はその近くに無線認識用の半導体装置を取り付けることにより、位置決めが容易となり、びんなどの容器が回転等しても、容器の内容物の認識が簡便にできる。
【００１９】
また、本発明による無線認識用の半導体装置は、さらに、半導体装置の内部にアンテナを有することを特徴とするものである。
【００２０】
よって、アンテナを内蔵することにより、アンテナの外付けが不要となり、コストが低減し、全体として小型化が可能となる。
【００２１】
また、本発明による無線認識用の半導体装置は、さらに、半導体装置を前記容器に取り付けるとき又は前記半導体装置内に記憶された情報を読み取るときに半導体装置の検査を行うことを特徴とするものである。
【００２２】
よって、無線認識用の半導体装置を容器に貼りつけるとき、又は読み取り装置で情報を読み取るとき、ハンドリング装置又は読み取り部が、当該半導体装置と接近・接触する機会があるので、このときにチップの良否判定、不良品の除去などを自動的に行うことが可能となる。
【００２３】
また、本発明による無線認識用の半導体装置の情報読み取り装置は、搬送装置と、半導体装置を取り付けた容器を固定するための複数の台座と、半導体装置と近接して前記半導体装置内に記憶された情報を読み取るためのアンテナを備えた複数の読み取り部とを有することを特徴とするものである。
【００２４】
よって、このような構成にすることにより、無線認識用の半導体装置と情報読み取り部が、ベルトコンベヤ等の搬送装置上で、所定時間相対しているため、情報を読み取るのに十分な時間が確保でき、高速に多数の容器を認識することが可能となる。
【００２５】
また、本発明による無線認識用の半導体装置は、容器の中心線に前記半導体装置の中心が一致するように容器の蓋又は底に取り付けられることを特徴とするものである。
【００２６】
よって、容器の中心線に前記半導体装置の中心を一致させることにより、位置決めが、より容易になる。
【００２７】
また、本発明による無線認識用の半導体装置の情報読み取り装置は、請求項１記載の半導体装置を取り付けた容器を固定するための台座と、前記容器の中心線に一致して設けられ、前記半導体装置と接して前記半導体装置内に記憶された情報を読み取るアンテナとを有することを特徴とするものである。
【００２８】
よって、このような構成にすることにより、前記半導体装置とアンテナの通信距離を十分確保することができる。
【００２９】
【発明の実施の形態】
以下、本発明の実施の形態を図面に基づいて詳細に説明する。
【００３０】
（実施の形態１）
図１は本発明の実施の形態１において、無線認識用の半導体装置に内蔵されるフリップフロップ回路の構成を示す回路図である。
【００３１】
まず、図１により、本実施の形態１において、無線認識用の半導体装置に内蔵されるフリップフロップ回路の構成の一例を説明する。
【００３２】
無線認識用の半導体装置としての無線認識用ＩＣチップの内部には、カウンタが存在しており、そのカウンタの基本回路として複数のフリップフロップ回路が使用されている。
【００３３】
本実施の形態１におけるフリップフロップ回路は、例えば、２入力ＮＡＮＤゲート等の第１のゲート回路１２、２入力ＮＡＮＤゲート等の第２のゲート回路１５、容量等の初期設定素子１６などから構成されている。図１には、第１のゲート回路１２，第２のゲート回路１５として、ＮＡＮＤゲートが示されているが、ＮＯＲゲートであってもよい。また、初期設定素子１６は、容量の代わりに、抵抗、インダクタンス若しくはトランジスタ、又は、これらの組み合わせなどであってもよい。
【００３４】
図１のフリップフロップ回路の入力端子１１は第１のゲート回路１２の入力の一つであり、第１のゲート回路１２の出力はフリップフロップ回路の出力端子１３に接続されている。フリップフロップ回路の出力端子１３は出力であると同時に第２のゲート回路１５の入力の一つでもある。第２のゲート回路１５の出力には、初期設定素子１６が接続されている。また、第２のゲート回路１５の出力は第１のゲート回路１２のもう一つの入力にも接続されている。さらにまた、第２のゲート回路１５のもう一つの入力には、フリップフロップ回路のリセット端子１４が設定されている。
【００３５】
次に、本実施の形態１の作用について、フリップフロップ回路の動作を説明する。
【００３６】
まず、電源電圧がゼロから徐々に上昇したとき、最初は、フリップフロップ回路の各端子のレベルは不定である。そのため、初期設定素子１６がない場合は、電源電圧が十分に上昇したときであっても、入力端子１１又はリセット端子１４が論理的にＬとならない限り、出力端子１３のレベルは、不定のままである。
【００３７】
一方、初期設定素子１６（例えば、容量）がある場合は、初期設定素子１６の充電に時間がかかるため、電源電圧が十分に上昇したとき、初期設定素子１６の電圧が第１のゲート回路１２（例えば、２入力ＮＡＮＤ）のしきい値電圧以下であれば、第１のゲート回路１２の入力は論理的にＬとなり、出力端子１３は、Ｈレベルに初期設定される。
【００３８】
本実施の形態１である無線認識用ＩＣチップ等の半導体装置においては、電磁波によって内部にエネルギを供給することによりバッテリレス動作が行われる。従来の無線認識用ＩＣチップの内部回路の構成の一例に関しては、特開２００２−１８４８７２号公報に示される内部回路構成がある。この無線認識用ＩＣチップの内部回路にはフリップフロップから構成されるカウンタが存在している。
【００３９】
このような回路においては、電源電圧が上昇したとき、フリップフリップ回路の出力が不定となり、動作が不安定となる。そのため、電源電圧が上昇したとき、初期設定をするためパワーオンリセット回路が必要となる。
【００４０】
本実施の形態１における、フリップフロップ回路を使用することにより、自動的に初期設定されるので、パワーオンリセット回路が不要となる。
【００４１】
すなわち、一つ又は複数のフリップフロップ回路をもつ無線認識用ＩＣチップにおいて、電源電圧が上昇したときにフリップフロップの特定の出力端子が論理的にＨ又はＬに固定することを特定する初期設定素子１６をフリップフロップ回路内部にもつことにより、パワーオンリセット回路が不要となる。
【００４２】
ＲＦＩＤ分野においては、従来のバーコードで利用されるような、自動認識分野において、リーダの低価格化、簡単に改竄されない高セキュリティ性、また、データ量が多いこと、また、遮蔽されても読み取りが可能であることなどにより大量の用途が見込まれているが、チップサイズが大きいため、低コスト化に問題があった。
【００４３】
１枚のシリコンウエハの作成コストはプロセスが同一であれば使用するマスク枚数によってほぼコストが決まるので、チップサイズを小さくすればするほどコストを下げることが可能となる。
【００４４】
例えば、０．３ｍｍ角のチップサイズに対して、０．１５ｍｍ角とした場合、ウエハからとれるチップ数は４倍となるので、一個のチップ当たりのコストは４分の１となる。
【００４５】
本発明の実施の形態１のように、電圧が上昇したときに自動的にフリップフロップの状態が確定すれば、チップ面積の３分の１をも占めているパワーオンリセット回路は不要となって、有効にチップ面積を減少させることが可能となる。
【００４６】
（実施の形態２）
図２は本発明の実施の形態２において、無線認識用の半導体装置としての無線認識用ＩＣチップを容器の底に取り付けた状態を示す図、図３は本発明の実施の形態２において、無線認識用の半導体装置を容器の蓋に取り付けた状態を示す図である。
【００４７】
例えば、本実施の形態２の構成例として、図２では、びんなどの容器２３において、無線認識用ＩＣチップ２１が、容器の底２４に容器の中心線２５の近傍に取り付けられている。
【００４８】
図３は、無線認識用ＩＣチップ２１を容器の蓋２２の上面の容器の中心線２５の近傍に取り付けた場合の構成例である。
【００４９】
また、図２には示さないが、無線認識用ＩＣチップ２１に記憶された情報を読み取る際、アンテナなどからなる読み取り部を無線認識用ＩＣチップ２１に接して配置する。
【００５０】
また、情報の読み取りは、非接触でなされるので、無線認識用ＩＣチップ２１にアンテナを接続する必要があるが、無線認識用ＩＣチップ２１の内部にアンテナを設けてもよい。
【００５１】
びんなどの容器２３の内容物を認識するためには、従来、バーコードなどが用いられている。容器２３の中を検査する際、このバーコードが遮蔽物となってしまい、バーコードでは用をなすことができない場合がある。その点、微小な無線認識用ＩＣチップ２１を容器２３の底又は蓋に取り付けるのであれば、このような不都合は解消される。
【００５２】
ＲＦＩＤによる微小なＩＣチップ、例えば０．３ｍｍ角のような小さなＩＣチップ又は微小なアンテナをチップ内に組み込んだようなＩＣチップでは通信距離を十分確保することが出来ない場合が出てくる。これは、ＲＦＩＤ用のＩＣチップでは、外部から電磁波で電源を受けることが多いので、エネルギの捕獲エリアが小さくなると、必然的に通信距離の減少を招くためである。このため、情報読み取り部とＩＣチップの間の間隔を約１ｍｍ以下に位置合わせする必要が出てくる。びんなどの容器で、円形を上面又は下面からみて保証出きる形状であれば、円の中心を合わせる技術となり、簡便な方法で位置合わせを行うことができる。
【００５３】
この際、容器の中心線とＩＣチップの中心が３ｍｍ以内の距離にあると、より効果が大きくなる。
【００５４】
（実施の形態３）
図４は本発明の実施の形態３において、情報読み取り装置の構成を示す図である。
【００５５】
まず、図４により、本実施の形態３の構成の一例を説明する。
【００５６】
本実施の形態３の情報読み取り装置は、例えば、容器位置決め機構３１ａ，３１ｂ，３１ｃ、読み取りヘッド３２ａ，３２ｂ，３２ｃ、同軸線路３３ａ，３３ｂ，３３ｃ、無線認識用ＩＣチップ３４ａ，３４ｂ，３４ｃ、容器３５ａ，３５ｂ，３５ｃ、ベルトコンベヤ等の搬送装置３６、吸着器３７などから構成され、搬送装置３６には容器位置決め機構３１ａ〜３１ｃが設けられ、その容器位置決め機構３１ａ〜３１ｃの内側に読み取りヘッド３２ａ〜３２ｃの付いた同軸線路３３ａ〜３３ｃが取り付けられている。また、読み取りヘッド３２ａ〜３２ｃには、アンテナが配置されている。
【００５７】
次に、情報読み取り方法について、説明する。
【００５８】
搬送装置３６には第１の容器位置決め機構３１ａがあって、第１の読み取りヘッド３２ａが付いた第１の同軸線路３３ａが取り付けられている。第１の無線認識用ＩＣチップ３４ａを取り付けた第１の容器３５ａが、第１の容器位置決め機構３１ａに置かれ、位置合わせがされて固定される。次に、第１の無線認識用ＩＣチップ３４ａの内部にある情報が第１の読み取りヘッド３２ａによって非接触に読み取られる。
【００５９】
また、同様に、搬送装置３６には第２の容器位置決め機構３１ｂがあって、第２の読み取りヘッド３２ｂが付いた第２の同軸線路３３ｂが取り付けられている。第２の無線認識用ＩＣチップ３４ｂを取り付けた第２の容器３５ｂが、第２の容器位置決め機構３１ｂに置かれ、位置合わせがされ固定される。そして、第２の無線認識用ＩＣチップ３４ｂの内部にある情報が第２の読み取りヘッド３２ｂによって非接触に読み取られる。
【００６０】
また、同様に、搬送装置３６には第３の容器位置決め機構３１ｃがあって、第３の読み取りヘッド３２ｃが付いた第３の同軸線路３３ｃが取り付けられている。第３の無線認識用ＩＣチップ３４ｃを取り付けた第３の容器３５ｃが、情報読み取りが終了した後、第３の容器位置決め機構３１ｃから、吸着器３７によって分離される。
【００６１】
すなわち、無線認識用ＩＣチップ３４ａ〜３４ｃに記憶された情報（例えば、１２８ビットのＩＤ番号等）を読み取るには、まず、容器３５ａ〜３５ｃを容器位置決め機構３１ａ〜３１ｃの上に配置する。すると、自動的に位置合わせがされて、容器３５ａ〜３５ｃの中心線付近に取り付けられた無線認識用ＩＣチップ３４ａ〜３４ｃと読み取りヘッド３２ａ〜３２ｃが近接する。そして、複数の容器３５ａ〜３５ｃと複数の読み取りヘッド３２ａ〜３２ｃが、それぞれ１対１に接するようにして、無線認識用ＩＣチップ３４ａ〜３４ｃに記憶された情報を読み取りヘッド３２ａ〜３２ｃを介して読み取る。読み取られる情報としては、対象物のＩＤ番号などであり、読み取られた情報はＬＡＮ無線システムなどを介して情報処理システムに記録される。
【００６２】
図４には、一例として、３組の容器位置決め機構３１ａ〜３１ｃ、読み取りヘッド３２ａ〜３２ｃ、同軸線路３３ａ〜３３ｃ、無線認識用ＩＣチップ３４ａ〜３４ｃ、容器３５ａ〜３５ｃが示されているが、これに限定されるものではなく、複数であれば個数に制限はない。
【００６３】
また、びんなどの容器に入れた液状医薬品を攪拌等により外部からの運動を加えて、異物混入を検査することが各所で行われている。これらの容器は高速に、例えば、毎秒１０本から５０本の速度で移動するため、ＲＦＩＤで高速に読み取るためには、位置合わせと読み取り時間を確保する必要がある。
【００６４】
また、当該容器には、容器の蓋又は容器の底にＲＦＩＤのチップが貼りつけられていて、微小なＩＣチップと読み取りヘッドを位置合わせする必要がある。容器は円筒状であることが一般的であるが、円筒状のものの中心を合わせるために保持する形状も円筒状又は円錐状になっていれば位置合わせは容易となる。
【００６５】
この位置合わせのための容器位置決め機構３１ａ〜３１ｃを搬送装置３６の上に並べて、連続的に容器３５ａ〜３５ｃを配置し、位置合わせをし、読み取りを行い、一定時間、読み取りヘッド３２ａ〜３２ｃと容器位置決め機構３１ａ〜３１ｃが同期して移動すれば、位置合わせと読取時間を確保することが可能となる。同期している時間を確保できれば、搬送装置３６の移動時間を高速とすることが可能となり、高速に多数の容器の自動認識を行うことが可能となる。
【００６６】
また、これまで述べた実施の形態において、無線認識用ＩＣチップ２１を貼りつけるとき、また、無線認識用ＩＣチップ２１に記憶された情報を情報読み取り装置で読み取るとき、ハンドリング装置（図示せず）又は読み取りヘッド３２ａ〜３２ｃが無線認識用ＩＣチップ２１と近づく又は接着する機会がある。従って、このときにチップの良否判定、不良品の除去などを自動的に行うことが可能である。
【００６７】
以上、本発明者によってなされた発明をその実施の形態に基づき具体的に説明したが、本発明は前記実施の形態に限定されるものではなく、その要旨を逸脱しない範囲で種々変更可能であることはいうまでもない。
【００６８】
例えば、前記実施の形態においては、容器の形状として、びん等の円筒状のものについて説明したが、これに限定されるものではなく、円柱状、円錐状、多角柱状、多角錐状、コップ状などの形状についても適用可能である。
【００６９】
【発明の効果】
本願において開示される発明のうち、代表的なものによって得られる効果を簡単に説明すれば、以下のとおりである。
【００７０】
（１）無線認識用の半導体装置の電源電圧が上昇したとき、当該半導体装置内のフリップフロップ回路の出力が所定のレベルに確定する構成とすることにより、従来、チップ面積の３分の１を占めていたパワーオンリセット回路を削除することが可能となり、無線認識用の半導体装置の小型化が可能となる。
【００７１】
（２）容器の中心線上又はその近くに無線認識用の半導体装置を取り付けることにより、位置合わせが容易となり、容器が回転しても、容器の内容物の認識が簡便にできる。
【００７２】
（３）無線認識用の半導体装置と読み取りヘッドが、搬送装置上で、所定時間一対一で相対している構成としたため、認識するのに十分な時間が確保でき、高速に多数の容器を認識することが可能となる。
【００７３】
（４）無線認識用の半導体装置を容器に貼りつけるとき、又は、読み取り装置で情報を読み取るとき、ハンドリング装置又は読み取り部が、当該半導体装置と接近・接触する機会があるので、このときにチップの良否判定、不良品の除去などを自動的に行うことが可能となる。
【図面の簡単な説明】
【図１】本発明の実施の形態１において、無線認識用の半導体装置に内蔵されるフリップフロップ回路の構成を示す回路図である。
【図２】本発明の実施の形態２において、無線認識用の半導体装置を容器の底に取り付けた状態を示す図である。
【図３】本発明の実施の形態２において、無線認識用の半導体装置を容器の蓋に取り付けた状態を示す図である。
【図４】本発明の実施の形態３において、情報読み取り装置の構成を示す図である。
【符号の説明】
１１　入力端子
１２　第１のゲート回路
１３　出力端子
１４　リセット端子
１５　第２のゲート回路
１６　初期設定素子
２１　無線認識用ＩＣチップ
２２　容器の蓋
２３　容器
２４　容器の底
２５　容器の中心線
３１ａ　第１の容器位置決め機構
３２ａ　第１の読み取りヘッド
３３ａ　第１の同軸線路
３４ａ　第１の無線認識用ＩＣチップ
３５ａ　第１の容器
３１ｂ　第２の容器位置決め機構
３２ｂ　第２の読み取りヘッド
３３ｂ　第２の同軸線路
３４ｂ　第２の無線認識用ＩＣチップ
３５ｂ　第２の容器
３１ｃ　第３の容器位置決め機構
３２ｃ　第３の読み取りヘッド
３３ｃ　第３の同軸線路
３４ｃ　第３の無線認識用ＩＣチップ
３５ｃ　第３の容器
３６　搬送装置
３７　吸着器
【図１】
2004070870.tif 000003
【図２】
2004070870.tif 000004
【図３】
2004070870.tif 000005
【図４】
2004070870.tif 000006